(57)【特許請求の範囲】
【請求項１】
側縁がＭＤ方向及びＣＤ方向に対して交差する方向に沿って延在する斜め伸縮部分を備えた伸縮性シートの製造方法において、
シート状に形成されたネット状弾性部材を、ＭＤ方向及びＣＤ方向に伸張させた状態で基材シートに固定した後、
前記ネット状弾性部材のうち、少なくとも前記斜め伸縮部分の側縁に沿う部分を、収縮力が弱くなるか又は無くなるように切断し、且つ前記斜め伸縮部分に位置する部分を切断せずに網目の連続部分を前記斜め伸縮部分の側縁に沿って残す、
ことを特徴とする伸縮性シートの製造方法。
【請求項２】
前記ネット状弾性部材の基材シートへの固定後、前記斜め伸縮部分とは異なる部位において、ＣＤ方向に所定の間隔を空けて、前記ネット状弾性部材をＭＤ方向に沿って連続的又は間欠的に切断する、請求項１記載の伸縮性シートの製造方法。
【請求項３】
前記ネット状弾性部材の基材シートへの固定後、前記斜め伸縮部分とは異なる部位において、ＭＤ方向に所定の間隔を空けて、前記ネット状弾性部材をＣＤ方向に沿って連続的又は間欠的に切断する、請求項１記載の伸縮性シートの製造方法。
【請求項４】
腹側から股間部を通り背側までを覆う部分を有する、使い捨ておむつ又は使い捨ておむつカバーにおいて、
側縁が鼠蹊及び臀溝の少なくとも一方に沿って延在する斜め伸縮部分を含み且つこの斜め伸縮部分よりも広範囲に、シート状に形成されたネット状弾性部材が前後方向及び幅方向に伸張した状態で固定されるとともに、
このネット状弾性部材のうち、少なくとも前記斜め伸縮部分の側縁に沿う部分が、収縮力が弱くなるか又は無くなるように切断され、且つ前記斜め伸縮部分に位置する部分が切断されずに網目の連続部分が前記斜め伸縮部分の側縁に沿って残されている、
ことを特徴とする使い捨ておむつ又は使い捨ておむつカバー。
【請求項５】
胴回りと対応する部分を含み且つこの部分よりも広範囲に、シート状に形成されたネット状弾性部材が前後方向及び幅方向に伸張した状態で固定されるとともに、この胴回りにおけるネット状弾性部材が、前記斜め伸縮部分に位置する部分を除き、前後方向に間隔を空けて幅方向に沿って連続的又は間欠的に切断されている、請求項４記載の使い捨ておむつ又は使い捨ておむつカバー。
【請求項６】
臀裂と対応する部位において幅方向両側から幅方向中央側に向かうにつれて上側に向かう臀裂対応部分を含み且つこの部分よりも広範囲に、シート状に形成されたネット状弾性部材が前後方向及び幅方向に伸張した状態で固定されるとともに、このネット状弾性部材のうち、少なくとも前記臀裂対応部分の側縁に沿う部分が、前記斜め伸縮部分に位置する部分を除き、収縮力が弱くなるか又は無くなるように切断され、且つ前記臀裂と対応する部分に位置する部分が切断されずに網目の連続部分が前記臀裂対応部分の側縁に沿って残されている、請求項４又は５記載の使い捨ておむつ又は使い捨ておむつカバー。
【発明の詳細な説明】
【技術分野】
【０００１】
本発明は、使い捨ておむつ等におけるネット状弾性部材の利用技術に関するものである。
【背景技術】
【０００２】
使い捨ておむつ等の吸収性物品は、不織布やフィルム等のシートを張り合わせることにより形成されており、身体の立体的形状にフィットし且つ身体の動きに追従して変形するように、胴回りの他、鼠蹊や臀溝等に沿って糸ゴム等の弾性部材が伸張状態で固定されている（例えば特許文献１、２参照）。
しかし、鼠蹊や臀溝に沿って糸ゴムを配置する場合のように、斜め方向に沿う弾性伸縮部分を設けるためには、弾性部材を揺動させて取り付ける他なく、高度で高価な設備が必要であるという問題点があった。
【特許文献１】特開２００６−２７１４５０号公報
【特許文献２】特開２００３−１９０２１２号公報
【発明の開示】
【発明が解決しようとする課題】
【０００３】
そこで本発明の主たる課題は、弾性部材の揺動を用いることなく、斜め方向に沿う弾性伸縮部分を形成できる技術を提供することにある。
【課題を解決するための手段】
【０００４】
上記課題を解決した本発明は次記の通りである。
＜請求項１記載の発明＞
側縁がＭＤ方向及びＣＤ方向に対して交差する方向に沿って延在する斜め伸縮部分を備えた伸縮性シートの製造方法において、
シート状に形成されたネット状弾性部材を、ＭＤ方向及びＣＤ方向に伸張させた状態で基材シートに固定した後、
前記ネット状弾性部材のうち、少なくとも前記斜め伸縮部分の側縁に沿う部分を、収縮力が弱くなるか又は無くなるように切断し、且つ前記斜め伸縮部分に位置する部分を切断せずに網目の連続部分を前記斜め伸縮部分の側縁に沿って残す、
ことを特徴とする伸縮性シートの製造方法。
【０００５】
（作用効果）
伸縮性シートの製造に際してネット状弾性部材を用いることは知られている。本発明は、単にこのネット状弾性部材を用いるものではなく、ＭＤ方向及びＣＤ方向に伸張させた状態で基材シートに固定した後、ネット状弾性部材のうち、少なくとも斜め伸縮部分の側縁に沿う部分を、収縮力が弱くなるか又は無くなるように切断し、且つ斜め伸縮部分に位置する部分を切断しないことを特徴とするものである。ネット状弾性部材の切断部分では、ネット状弾性部材が不連続となることにより弾性伸縮作用が弱くなるか又は無くなり、この切断部分によって側縁が画定された斜め伸縮部分のネット状弾性部材は、周囲から実質的に独立してその側縁の延在方向に沿って伸縮性を発揮するようになる。よって、弾性部材の揺動を利用せずに、斜め方向に沿う弾性伸縮部分を形成することができる。なお、ネット状弾性部材の切断部位に関して用いる用語「側縁」は、斜め伸縮部分の伸縮方向を基準とした場合の側縁を意味する（以下、同じ）。
【０００６】
＜請求項２記載の発明＞
前記ネット状弾性部材の基材シートへの固定後、前記斜め伸縮部分とは異なる部位において、ＣＤ方向に所定の間隔を空けて、前記ネット状弾性部材をＭＤ方向に沿って連続的又は間欠的に切断する、請求項１記載の伸縮性シートの製造方法。
【０００７】
（作用効果）
このように斜め伸縮部分と異なる部位では、ＣＤ方向に所定の間隔を空けて、ネット状弾性部材をＭＤ方向に沿って連続的又は間欠的に切断することにより、ＭＤ方向に沿って伸縮性を発揮する部分を設けることができる。よって、例えばパンツ型使い捨ておむつのように、おむつの幅方向が製造ラインのＭＤ方向となるような場合には、斜め伸縮部分と共通のネット状弾性部材を用いて、胴回りに沿って弾性伸縮する弾性伸縮部分を形成することができる。
【０００８】
＜請求項３記載の発明＞
前記ネット状弾性部材の基材シートへの固定後、前記斜め伸縮部分とは異なる部位において、ＭＤ方向に所定の間隔を空けて、前記ネット状弾性部材をＣＤ方向に沿って連続的又は間欠的に切断する、請求項１記載の伸縮性シートの製造方法。
【０００９】
（作用効果）
このように斜め伸縮部分とは異なる部位では、ＭＤ方向に所定の間隔を空けて、ネット状弾性部材をＣＤ方向に沿って連続的又は間欠的に切断することにより、ＣＤ方向に沿って伸縮性を発揮する部分を設けることができる。よって、例えばテープ式使い捨ておむつのように、おむつの長手方向が製造ラインのＭＤ方向となるような場合には、斜め伸縮部分と共通のネット状弾性部材を用いて、胴回りに沿って弾性伸縮する弾性伸縮部分を形成することができる。
【００１０】
＜請求項４記載の発明＞
腹側から股間部を通り背側までを覆う部分を有する、使い捨ておむつ又は使い捨ておむつカバーにおいて、
側縁が鼠蹊及び臀溝の少なくとも一方に沿って延在する斜め伸縮部分を含み且つこの斜め伸縮部分よりも広範囲に、シート状に形成されたネット状弾性部材が前後方向及び幅方向に伸張した状態で固定されるとともに、
このネット状弾性部材のうち、少なくとも前記斜め伸縮部分の側縁に沿う部分が、収縮力が弱くなるか又は無くなるように切断され、且つ前記斜め伸縮部分に位置する部分が切断されずに網目の連続部分が前記斜め伸縮部分の側縁に沿って残されている、
【００１１】
（作用効果）
請求項１記載の発明と同様の作用効果を奏する。すなわち、ネット状弾性部材の切断部分では、ネット状弾性部材が不連続となることにより弾性伸縮作用が弱くなるか又は無くなり、この切断部分によって側縁が画定された斜め伸縮部分のネット状弾性部材は、周囲から実質的に独立してその側縁の延在方向に沿って伸縮性を発揮するようになる。また、この非切断部分は、マクロ的に見れば鼠蹊や臀溝に沿って伸縮性を発揮することになるが、ミクロ的に見ればネット（網）を構成する各線が各自の方向に沿って伸縮性を発揮するため、鼠蹊や臀溝のように複雑な動きが発揮する部分であっても、よりフィット性・追従性に優れるようになる。
【００１２】
＜請求項５記載の発明＞
胴回りと対応する部分を含み且つこの部分よりも広範囲に、シート状に形成されたネット状弾性部材が前後方向及び幅方向に伸張した状態で固定されるとともに、この胴回りにおけるネット状弾性部材が、前記斜め伸縮部分に位置する部分を除き、前後方向に間隔を空けて幅方向に沿って連続的又は間欠的に切断されている、請求項４記載の使い捨ておむつ又は使い捨ておむつカバー。
【００１３】
（作用効果）
本発明では、鼠蹊や臀溝のみならず、胴回りのフィット性を高めるためにも、ネット状弾性部材を用いることができる。この場合、ネット状弾性部材の非切断部分によって胴回り方向に沿って伸縮性が発揮されることになる。なお、胴回りと対応する部分を含む範囲に設けられるネット状弾性部材は、鼠蹊等の他の部分に設けられるものと一体をなしていても、また別体であっても良い。
【００１４】
＜請求項６記載の発明＞
臀裂と対応する部位において幅方向両側から幅方向中央側に向かうにつれて上側に向かう臀裂対応部分を含み且つこの部分よりも広範囲に、シート状に形成されたネット状弾性部材が前後方向及び幅方向に伸張した状態で固定されるとともに、このネット状弾性部材のうち、少なくとも前記臀裂対応部分の側縁に沿う部分が、前記斜め伸縮部分に位置する部分を除き、収縮力が弱くなるか又は無くなるように切断され、且つ前記臀裂と対応する部分に位置する部分が切断されずに網目の連続部分が前記臀裂対応部分の側縁に沿って残されている、請求項４又は５記載の使い捨ておむつ又は使い捨ておむつカバー。
【００１５】
（作用効果）
臀裂は臀間に位置する凹部であり、おむつ等をフィットさせるのが困難な部位である。本項記載の発明は、臀裂に対するフィット性を高めるためにネット状弾性部材を利用しようとするものである。ネット状弾性部材の切断部分では、ネット状弾性部材が不連続となることにより弾性伸縮作用が弱くなるか又は無くなり、この切断部分によって側縁が画定された臀裂対応部分のネット状弾性部材は、周囲から実質的に独立してその側縁の延在方向に沿って収縮することにより、臀裂に入り込んでフィットするようになる。また、この非切断部分は、マクロ的に見れば臀裂に沿って伸縮性を発揮することになるが、ミクロ的に見ればネット（網）を構成する各線が各自の方向に沿って伸縮性を発揮するため、臀裂のように曲面間によって形成される深い窪みに対しても優れたフィット性を発揮する。なお、臀裂と対応する部分を含む範囲に設けられるネット状弾性部材は、鼠蹊等の他の部分に設けられるものと一体をなしていても、また別体であっても良い。
【発明の効果】
【００１６】
以上のとおり、本発明によれば、弾性部材の揺動を用いることなく、斜め方向に沿う弾性伸縮部分を形成できるようになる、等の利点がもたらされる。
【発明を実施するための最良の形態】
【００１７】
以下、本発明の一実施形態について、先ず共通的構成について説明し、次に各種形態の特徴について説明する。
図１は、実施形態のパンツ型使い捨ておむつ１の製品状態での正面外観図であり、図２は展開状態での内面側の平面図である。このパンツ型使い捨ておむつ１（以下、単に物品ともいう。）は、不織布などからなる透液性表面シート１１と、ポリエチレン等からなる不透液性バックシート１２との間に、綿状パルプなどの吸収体１３を介在させた吸収性本体１０と、この吸収性本体１０の外面側に対して一体的設けられた外装シート２０とからなるものである。製造に際しては、外装シート２０の上面側（内面側）に対して吸収性本体１０の裏面がホットメルト接着剤Ｇなどによって一体化された後に、吸収性本体１０および外装シート２０が前後方向に折り重ねられ、その両側部が相互に熱溶着またはホットメルト接着剤などによって接合されることによって、ウエスト開口部及び左右一対のレッグ開口部が形成されたパンツ型使い捨ておむつとなる。
【００１８】
以下、吸収性本体１０、外装シート２０の順に説明する。
（吸収性本体の基本構造）
吸収性本体１０は、図２〜図４に示すように、不織布などからなる透液性表面シート１１と、ポリエチレン等からなる不透液性バックシート１２との間に、綿状パルプなどの吸収体１３を介在させた構造とされ、体液を吸収保持するものである。
【００１９】
吸収体１３の表面側（肌当接面側）を覆う透液性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。透液性表面シート１１に多数の透孔を形成した場合には、尿などが速やかに吸収されるようになり、ドライタッチ性に優れたものとなる。透液性表面シート１１は、吸収体１３の側縁部を巻き込んで吸収体１３の裏面側まで延在している。
【００２０】
吸収体１３の裏面側（非肌当接面側）を覆う不透液性バックシート１２は、ポリエチレンまたはポリプロピレンなどの不透液性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。
【００２１】
吸収体１３は、フラッフ状パルプと吸水ポリマーとを成形してなるものが好適に用いられる。吸水性ポリマーは吸収体を構成するパルプ中に例えば粒状粉として混入することができる。パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用できる。もちろんこれ以外の公知の吸収体も採用することができる。また、吸収体１３は、形状及びポリマー保持等のため、必要に応じてクレープ紙等の透液性包装シート１４によって包装されている。吸収体１３の形状は、図示形態のように背側及び腹側に対して股間部の幅が狭い形状としたり、矩形形状としたりすることができる。
【００２２】
一方、吸収性本体１０の両側部には脚周りにフィットする立体ギャザーＢＳが形成されているのが好ましい。この立体ギャザーＢＳはギャザー不織布１５により形成される、ギャザー不織布としては、図４及び図５に示されるように、折返しによって二重シートとした不織布が好適に用いられ、透液性表面シート１１によって巻き込まれた吸収体１３の側縁部をさらにその上側から巻き込んで吸収体１３の裏面側まで延在して接着されている。より具体的には、ギャザー不織布１５は、吸収性物品１の長手方向中間部では、立体ギャザーＢＳ形成部分を残し、幅方向中間部から吸収体１３の裏面側に亘る範囲がホットメルト接着剤等によって接着され、また長手方向前後端部では、幅方向中間部から一方側端縁までの区間が吸収体１３の裏面側に亘る範囲で接着されるとともに、立体ギャザーＢＳを形成する部分を吸収体１３の上面部にて折り畳むようにしながらホットメルト接着剤等により接着している。
【００２３】
二重シート不織布によって形成されたギャザー不織布１５の内部には、起立先端側部分に複数本の糸状弾性伸縮部材１６、１６…が配設されている。糸状弾性伸縮部材１６、１６…は、製品状態において図４に二点鎖線で示すように、弾性伸縮力により吸収体側縁部より突出する不織布部分を起立させて立体ギャザーＢＳを形成するためのものである。
【００２４】
不透液性バックシート１２は、二重シート状のギャザー不織布１５の内部まで進入し、図４に示されるように、立体ギャザーＢＳの下端側において防漏壁を構成するようになっている。かかる不透液性バックシート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００２５】
糸状弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、テンションは１５０〜３５０％、間隔は７．０ｍｍ以下として配設するのがよい。なお、糸状弾性伸縮部材に代えて、ある程度の幅を有するテープ状弾性伸縮部材を用いるようにしてもよい。
【００２６】
前述のギャザー不織布１５を構成する素材繊維も透液性表面シート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００２７】
（外装シートの構造）
外装シート２０は、図４及び図５に示されるように、上層不織布２０Ａ及び下層不織布２０Ｂからなる２層構造の不織布シートとされ、上層不織布２０Ａと下層不織布２０Ｂとの間にネット状弾性部材３０が伸張状態で固定され、伸縮性が付与されている。平面形状は、中間両側部に夫々脚部開口を形成するために形成された凹状の脚回りカットライン２９により、全体として擬似砂時計形状をなしており、腹側から股間部を通り背側までを覆う部分を有している。接着剤による固定部分は符号Ｇを付した×印で示されている。符号のない×印部分も接着剤による固定部分である。ネット状弾性部材３０は複数のシートで挟んで固定するのが好ましいが、一枚のシートの片面に固定することも可能である。
【００２８】
（第１の形態）
特徴的には、図４〜図６に示されるように、外装シート２０の全体にわたり、シート状に形成されたネット状弾性部材３０が前後方向及び幅方向に伸張した状態で固定されるとともに、このネット状弾性部材３０のうち、鼠蹊及び臀溝に沿って延在する斜め伸縮部分に位置する部分３１，３２は切断されていないが、この部分３１，３２を除く他の部分では、前後方向に間隔を空けて幅方向に沿って連続的に切断されている。
【００２９】
ネット状弾性部材３０としては、ネット状である限り特に限定されず、ハニカム状等であっても良いが、コストや切断容易性の観点から図示形態のような格子状であるのが好ましい。格子状のネット状弾性部材３０の場合、縦横の糸状部分がそれぞれおむつの前後方向及び幅方向と対応するように設けるのが好ましいが、他の配置を採用することもできる。格子状のネット状弾性部材３０の場合、縦線及び横線の間隔は２〜１６ｍｍ程度、縦線及び横線の太さは２００〜２０００ｄｔｅｘ程度であるのが好ましい。
【００３０】
ネット状弾性部材３０は、図示形態のように外装シート２０の全体に設ける他、伸縮性付与部よりも広範囲に設ける限り、外装シート２０の一部にのみ設けることもできる。この場合、伸縮性付与部が複数ある場合には個々独立に設ける他、複数の部位にわたるように設けることもできる。
【００３１】
斜め伸縮部分は、いずれか一方又は両方の側縁の方向が前後方向及び幅方向に対して交差していれば（つまり斜め方向に沿っていれば）、側縁が曲線状をなしていても、また直線状をなしていても良いが、図示のように逆さハ字状をなしているのが好ましい。
【００３２】
かくして構成された外装シート２０では、ネット状弾性部材３０が斜め伸縮部分に位置する部分３１，３２を除く部分では切断されており、収縮力が相対的に弱くなっているため、斜め伸縮部分では周囲から実質的に独立してその側縁の延在する斜め方向（矢印で示す）に沿って伸縮性を発揮するようになる。また、この非切断部分３１，３２は、マクロ的に見れば鼠蹊や臀溝に沿って伸縮性を発揮することになるが、ミクロ的に見ればネット（網）を構成する各線が各自の方向に沿って伸縮性を発揮するため、鼠蹊や臀溝のように複雑な動きが発揮する部分であっても、よりフィット性・追従性に優れるようになる。
【００３３】
また、斜め伸縮部分に位置する部分３１，３２を除く部分においては、前後方向に所定の間隔を空けて縦方向に沿う各線３０ａのみが切断されており、横方向に沿う各線３０ｂは幅方向に沿って連続しているため、この横方向に沿う連続部分３０ｂが胴回り方向に沿う伸縮性を発揮することになる。図示形態の斜め伸縮部分に位置する部分３１，３２を除く部分では、切断部分が幅方向に沿って連続的に設けられているが、何本かおきに縦方向線を切断せずに残すことにより間欠的に切断しても、縦方向の収縮力が弱まり、横方向の線の収縮力が強まるため、胴回り方向の伸縮性が強く発揮されるようになる。
【００３４】
なお、本第１の形態は、図１１（ａ）に示す糸ゴム３００を用いたおむつ１００と同様の伸縮性を、ネット状弾性部材３０を用いて実現するためのものである。
【００３５】
他方、図７に示すように、斜め伸縮部分に位置する部分３３を除く部分においてネットを構成する各線３０ａ，３０ｂの全てを切断し、収縮力が実質的に無くなるように構成することもできる。
【００３６】
（第２の形態）
図８は第２の形態を示しており、ネット状弾性部材３０のうち、鼠蹊及び臀溝に沿う斜め伸縮部分に位置する部分３１，３２のみならず、臀裂対応部分に位置する部分３４も切断されていない点で第１の形態と異なるものである。臀裂対応部分は、臀裂と対応する部位（背側の幅方向中央部）において、幅方向両側から幅方向中央側に向かうにつれて上側に向かうように延在するハ字状部分である。第２の形態における斜め伸縮部分に位置する部分３１，３２は第１の形態に対して多少形状が異なるが基本的に同様の構成を有する。
【００３７】
かくして構成された外装シート２０では、ネット状弾性部材３０のうち臀裂対応部分に位置する部分３４が、周囲から実質的に独立してその側縁（図中の上縁及び下縁）の延在する斜め方向に沿って収縮することにより、臀裂に入り込んでフィットするようになる。その他は鼠蹊等における斜め伸縮部分３１，３２と同様である。なお、本第２の形態は、図１１（ｂ）に示す糸ゴム３００を用いたおむつ１００と同様の伸縮性を、ネット状弾性部材３０を用いて実現するためのものである。
【００３８】
（第３の形態）
上記第１及び第２の形態は、いわゆるブリーフ型への適用例であるが、図９及び図１０に示すようにいわゆるボクサー型にも適用できることはいうまでもない。図９に示す例は吸収性本体１０が腹側から背側にかけて延在するものであり、図１１（ｃ）に示す糸ゴム３００を用いたおむつ１００と同様の伸縮性を、ネット状弾性部材３０を用いて実現するためのものである。また、図１０に示す例は吸収性本体１０が腹側から股間までしか延在せず、背側には延在しないものであり、図１１（ｄ）に示す糸ゴム３００を用いたおむつ１００と同様の伸縮性を、ネット状弾性部材３０を用いて実現するためのものである。その他は上記各形態と同様である。
【００３９】
（その他）
上記例は、パンツ型使い捨ておむつへの応用例であるが、テープ式の使い捨ておむつや、尿吸収パッド、生理用ナプキン等にも適用できる。また、上記例の吸収性本体１０を省略したものはそのまま使い捨てのおむつカバーとして用いることができる。つまり、おむつとおむつカバーとの違いは吸収体１３を有するか否かである。
【００４０】
（製造方法について）
本発明では、上述したネット状弾性部材３０による伸縮部分を有する外装シート２０等を製造するための方法も提案される。すなわち、先ず、基材シートとしての上層不織布２０Ａ及び下層不織布２０Ｂを張り合わせるとともに、両者の間に、シート状に形成されたネット状弾性部材３０をＭＤ方向及びＣＤ方向に伸張させた状態で挟んで接着剤等により固定する。しかる後、これらを一体的に所定のパターンでエンボス加工あるいは切断加工することにより、ネット状弾性部材３０のうち、斜め伸縮部分（上記例における鼠蹊、臀溝に沿う部分、臀裂と対応する部分）に位置する部分３１〜３３を切断せずに、斜め伸縮部分の両側縁に沿う部分、好ましくは斜め伸縮部分以外の部分全てを、収縮力が弱くなるか又は無くなるように切断する。かくして、弾性部材の揺動を利用せずに、斜め方向に沿う弾性伸縮部分を形成することができる。
【００４１】
特に、斜め伸縮部分と共通のネット状弾性部材３０を用い、斜め伸縮部分と異なる部位において胴回りに沿う弾性伸縮部分を形成することもできる。具体的に、例えばパンツ型使い捨ておむつの製造設備のように、おむつの幅方向が製造ラインのＭＤ方向となるような場合には、ネット状弾性部材３０の基材シート２０Ａ，２０Ｂへの固定後、斜め伸縮部分以外の一部又は全部において、ＣＤ方向に所定の間隔を空けて、ネット状弾性部材３０をＭＤ方向に沿って連続的又は間欠的に切断する。この場合、ＭＤ方向に沿う伸縮部が形成される。一方、テープ式使い捨ておむつの製造設備のように、おむつの長手方向が製造ラインのＭＤ方向となるような場合は向きが反対となる。すなわち、ネット状弾性部材３０の基材シート２０Ａ，２０Ｂへの固定後、斜め伸縮部分以外の一部又は全部において、ＭＤ方向に所定の間隔を空けて、ネット状弾性部材３０をＣＤ方向に沿って連続的又は間欠的に切断すると、ＣＤ方向に沿う伸縮部を形成することができる。
【００４２】
なお、この製造方法による斜め伸縮部分の形成位置は、鼠蹊、臀溝、臀裂に限られるものではなく、他の部位にも適用できることはいうまでもない。また、この製造方法によるＭＤ方向又はＣＤ方向に沿う伸縮部の形成位置は、胴回りに限られるものではなく、他の部位にも適用できることはいうまでもない。
【産業上の利用可能性】
【００４３】
本発明は、使い捨ておむつ等における伸縮部分の形成に適用できるものである。
【図面の簡単な説明】
【００４４】
【図１】パンツ型使い捨ておむつの製品状態の正面図である。
【図２】パンツ型使い捨ておむつの展開状態での内側平面図である。
【図３】吸収性本体の平面図である。
【図４】図２のＡ−Ａ断面図である。
【図５】図５のＢ−Ｂ断面図である。
【図６】第１の形態を示す外装シート及びネット状弾性部材の展開状態の平面図である。
【図７】変形例の要部拡大平面図である。
【図８】第２の形態を示す外装シート及びネット状弾性部材の展開状態の平面図である。
【図９】第３の形態を示す外装シート及びネット状弾性部材の展開状態の平面図である。
【図１０】第３の形態を示す外装シート及びネット状弾性部材の展開状態の平面図である。
【図１１】従来の糸ゴムを用いた各種形態を示す平面図である。
【符号の説明】
【００４５】
１…吸収性物品、１０…吸収性本体、１０ｎ…非固定部、１１…透液性表面シート、１２…不透液性バックシート、１３…吸収体、１４…クレープ紙、１５…ギャザー不織布、１６…糸状弾性伸縮部材、１７…貫通部、２０…外装シート、２１・２２…脇部接合縁、２９…脚回りカットライン、３０…ネット状弾性部材、Ｆ…腹側部分、Ｂ…背側部分。
【図１】
0005060896.tif 000002
【図２】
0005060896.tif 000003
【図３】
0005060896.tif 000004
【図４】
0005060896.tif 000005
【図５】
0005060896.tif 000006
【図６】
0005060896.tif 000007
【図７】
0005060896.tif 000008
【図８】
0005060896.tif 000009
【図９】
0005060896.tif 000010
【図１０】
0005060896.tif 000011
【図１１】
0005060896.tif 000012